(57)【要約】【課題】  小径竿体の竿先側端部の外周面に簡単な機構を施すことによって、伸長操作を容易迅速に行うことのできる伸縮式振出竿を提供する。【解決手段】  元上２を元竿１内に収縮した収縮状態と元竿１より引き出した伸長状態とに切換可能に構成する。元上２を元竿１内に収縮した収縮状態において、元竿１の竿先側端から突出する元上２の竿先側端部２Ａの外周面に、滑り抵抗体７としての凸部７Ａを形成してある。【選択図】        図１
2009060844.tif 000002
【特許請求の範囲】
【請求項１】
小径竿体を大径竿体内に収縮した収縮状態と前記大径竿体より引き出した伸長状態とに切換可能に構成してある伸縮式振出竿であって、
前記収縮状態において、前記大径竿体の竿先側端から突出する前記小径竿体の竿先側端部の外周面に、滑り抵抗体を形成してある伸縮式振出竿。
【請求項２】
複数の小径竿体を大径竿体内に収縮した収縮状態と前記大径竿体より引き出した伸長状態とに切換可能に構成してある伸縮式振出竿であって、
前記収縮状態において、前記大径竿体の竿先側端から突出する前記小径竿体の竿先側端部の外周面に滑り抵抗体を形成するとともに、前記複数の小径竿体毎に、異なる形態を呈する滑り抵抗体を形成してある伸縮式振出竿。
【請求項３】
前記滑り抵抗体が前記外周面の複数箇所に形成された凸部である請求項１または２記載の伸縮式振出竿。
【発明の詳細な説明】
【技術分野】
【０００１】
本発明は、小径竿体を大径竿体内に収縮した収縮状態と前記大径竿体より引き出した伸長状態とに切換可能に構成してある伸縮式振出竿に関する。
【背景技術】
【０００２】
この種の伸縮式振出竿においては、収縮状態において、小径竿体の竿先側端部が大径竿体の竿先端より突出する状態になっている（特許文献１参照）。
【０００３】
【特許文献１】実開平６−２６４６１号（段落番号〔０００７〕の第５行目から第１０行目、及び、図１）
【発明の開示】
【発明が解決しようとする課題】
【０００４】
小径竿体の竿先側端部の外周面には、大径竿体の竿先側端部の内周面に圧接すべく大径膨出部が形成されてはいるが、その大径膨出部の表面は凹凸のない平滑な面に形成されている。
そのために、小径竿体を大径竿体から引き出す際に、小径竿体の竿先側端部を一方の手で握り、他方の手を元竿等に添えて引出操作をするのであるが、咄嗟の操作を行う場合には、小径竿体の竿先側端部において滑りを生じたり、握り損なったりして、十分に握り込むことができず、迅速な伸長操作が行えないことがあった。
【０００５】
本発明の目的は、小径竿体の竿先側端部の外周面に簡単な機構を施すことによって、伸長操作を容易迅速に行うことのできる伸縮式振出竿を提供する点にある。
【課題を解決するための手段】
【０００６】
〔構成〕
請求項１に係る発明の特徴構成は、前記収縮状態において、前記大径竿体の竿先側端から突出する前記小径竿体の竿先側端部の外周面に、滑り抵抗体を形成してある点にあり、その作用効果は次の通りである。
【０００７】
〔作用〕
つまり、滑り抵抗体を形成することによって、小径竿体の竿先側端部を握った場合に、手が滑り難く引出し操作を容易に行い得る。
【０００８】
〔効果〕
滑り抵抗体という簡単な機構を追加するだけで、手に水が付いた場合や餌等の残渣が付着している場合であっても、迅速容易な伸長操作が可能な伸縮式振出竿を提供できるに至った。
【０００９】
請求項２に係る発明の特徴構成は、複数の小径竿体を大径竿体内に収縮した収縮状態と前記大径竿体より引き出した伸長状態とに切換可能に構成してある伸縮式振出竿であって、
前記収縮状態において、前記大径竿体の竿先側端から突出する前記小径竿体の竿先側端部の外周面に滑り抵抗体を形成するとともに、前記複数の小径竿体毎に、異なる形態を呈する滑り抵抗体を形成してある点にあり、その作用効果は次の通りである。
【００１０】
〔作用効果〕
つまり、各小径竿体に、異なる形態を呈する滑り抵抗体を形成してあるので、各小径竿体を握った場合に滑り抵抗体の形態が異なることを感じ取ることができ、握った小径竿体の特定が容易にできる。
したがって、視認することなく、所望の小径竿体の伸長操作を容易迅速に行うことができる。
【００１１】
請求項３に係る発明の特徴構成は、請求項１又は２に係る発明において、前記滑り抵抗体が前記外周面の複数箇所に形成された凸部である点にあり、その作用効果は次の通りである。
【００１２】
〔作用効果〕
滑り抵抗体として凸部を設けて構成したものであるので、簡単な構成のもので迅速容易な操作に寄与できる。
【発明を実施するための最良の形態】
【００１３】
〔第１実施形態〕
渓流竿Ａ等について説明する。図１に示すように、渓流竿Ａを大径竿体としての元竿１、小径竿体としての元上２、元上々３等の中竿、穂先竿、元竿１の竿元側端に尻栓４を設けて構成し、中竿、穂先竿を元竿１内に収納する収縮状態と元竿１から引き出した伸長状態とに切り換え可能に構成してある。
【００１４】
収縮状態を保持する収縮保持手段Ｐについて説明する。図１に示すように、元竿１の竿元側端部１Ｂの内周面に保持体６を内嵌して装備し、この保持体６で元上２の竿元側端部２Ｂ、及び、元上々３の竿元側端部３Ｂ等を嵌合保持すべく構成する。保持体６の竿元側の内周面に雌ネジ６ａを形成すると共に，尻栓４の大径摘まみ部４Ａの竿先側に雄ネジ４ａを形成して、尻栓４を螺着可能に構成し、尻栓４の先端側に穂先竿等を収納状態で受け止める座ゴム５を設けてある。
【００１５】
保持体６について説明する。保持体６は、ＮＢＲ等のゴムやナイロン等の合成樹脂等を材料として形成されるもので、図１に示すように、竿先側開口端から竿元側に向けて、元上２の竿元側端部２Ｂを内嵌保持する元上用保持座６Ａと、元上用保持座６Ａより小径でその元上用保持座６Ａより竿元側に元上々３の竿元側端部３Ｂを保持する元上々用保持座６Ｂと、他の中竿、穂先用の他の保持座６Ｃとを備えている。
【００１６】
一方、収縮保持手段Ｐを竿先側において形成する構造について説明する。図１に示すように、元上２の竿先側端部２Ａの外周面に嵌合用の大径膨出部２ａを形成するとともに、元竿１の竿先側端部１Ａの内周面を嵌合面として、元上２を元竿１内に収納する際に、元上２の竿先側端部２Ａの大径膨出部２ａを元竿１の竿先側端部１Ａの内周面に内嵌するように構成してある。
【００１７】
以上のような構成によって、図１（イ）に示すように、元竿１内に収縮収納される元上２は、竿先側端部２Ａの外周面の大径膨出部２ａを元竿１の竿先側端部１Ａの内周面に嵌合するとともに、竿元側端部２Ｂの外周面を保持体６の元上用保持座６Ａに内嵌して、元上２の収縮状態を保持するように構成してある。
【００１８】
したがって、元上２の竿先側端部２Ａの外周面の大径膨出部２ａと元竿１の竿先側端部１Ａの内周面との嵌合状態、及び、元上２の竿元側端部２Ｂの外周面と保持体６の元上用保持座６Ａの内周面との嵌合状態によって、収縮保持手段Ｐを構成する。
【００１９】
図１（イ）に示すように、元上々３についても、同様に収縮保持手段Ｐが構成してある。つまり、元上々３の竿先側端部３Ａの外周面に嵌合用の大径膨出部３ａを形成するとともに、元上２の竿先側端部２Ａの内周面を嵌合面として、元上々３を元上２内に収納する際に、元上々３の竿先側端部３Ａの大径膨出部３ａを元上２の竿先側端部２Ａの内周面に内嵌するように構成してある。
【００２０】
伸長保持手段Ｑについて元上２と元竿１とを代表させて説明する。図１（ロ）に示すように、前述した、元上２の竿元側端部２Ｂの外周面に形成した大径膨出部を、元竿１の竿先側端部１Ａの内周面に嵌合させる。これによって、元上２を元竿１に対して伸長状態に保持できる。
図示してはいないが、元上々３の竿元側端部３Ｂの外周面に形成した大径膨出部を、元上２の竿先側端部２Ａの内周面に嵌合させることによって、元上々３を伸長状態に保持できる。
このように、中竿、及び、穂先竿においても、同様に伸長状態を得ることができる。
【００２１】
次に、滑り抵抗体７について説明する。
図１（イ）に示すように、元上２の元竿１内に収縮された収縮状態で、元上２の竿先側端部２Ａの外周面で元竿１の竿先側端より突出する部分に、滑り抵抗体７を設けてある。
【００２２】
滑り抵抗体７は、図２（イ）に示すように、竿軸線方向に沿った細長い凸部７Ａを、円周方向の複数箇所に形成してある。凸部７Ａとしては、ウレタン等の樹脂塗料を材料としてドッドスクリーン印刷法を使用して、形成されたものである。
このように、全周に亘って凸部７Ａを形成しているので、この凸部７Ａが抵抗となって、手が滑り難い。
【００２３】
滑り抵抗体７としては、図２（ロ）〜（へ）に示す形態を採ってもよい。つまり、図２（ロ）に示すように、凸部７Ｂを円周方向に沿った細長い形状のものに構成し、この細長形状の凸部７Ｂを円周方向の複数箇所にかつ軸線方向の複数箇所に列状に設けてもよい。
【００２４】
図２（ハ）に示すように、滑り抵抗体７としては、凸部７Ｃをくの字状に折れ曲る形状に構成する。これによって、凸部７Ｃ自体の長さを長くでき、抵抗面を大きく取ることができる。
図２（二）に示すように、滑り抵抗体７としては、凸部７Ｄを円柱状（又は円錐状）に形成する。これによって、凸部７Ｄ自体の数を多く外周面上に設けることができ、抵抗力を大きく取ることができる。
【００２５】
以上のところでは、凸部７Ａ〜７Ｄを形成したが、ここでは、凸部７Ａ〜７Ｄ以外の形態のものを採用してもよい。つまり、図２（ホ）に示すように、梨地処理を施した梨地処理部７Ｅを採用してもよい。この場合には、小径竿体の外周面より突出する量を抑えた状態で滑り抵抗の大きなものを形成できるので、竿先側端での盛り上がり部の存在を抑制できて、扱い易くなる。
図２（へ）に示すように、一定幅の盛り上がりを設けるとともに、その盛り上がり部の表面にローレット加工を施して、ローレット加工部７Ｆを採用してもよい。この場合には、ローレット加工面が細かい凹凸面となるので、ローレット加工面に当接する手指に対する圧迫感が少ない。
【００２６】
〔第２実施形態〕
ここでは、小径竿体としての複数本の中竿に対して、図３に示すように、異なる形態の滑り抵抗体７を形成してもよい。つまり、元上２の竿先側端部２Ａの外周面には円柱状の凸部７Ｄを形成する。次ぎに小径である元上々３の竿先側端部３Ａの外周面に、くの字状に折れ曲る凸部７Ｃを形成する。
そして、順番に小径竿体としての中竿に対して、円周方向に沿った細長形状の凸部７Ｂ、及び、竿軸線方向に沿った細長い凸部７Ａとを形成する。
【００２７】
このような構成によって、目視することなく、小径竿体の竿先側端部を握ったその感触でどの小径竿体を握ったかが感知でき、所望の小径竿体を選択することが容易に行え、伸長操作が容易迅速に行える。
【００２８】
〔別実施形態〕
（１）上記実施形態においては、滑り抵抗体７を形成すべき小径竿体に対しては、小径竿体毎に異なる形態の滑り抵抗体７を施すこととしたが、一部の滑り抵抗体７としては、同一のものを使用してもよい。
【００２９】
（２）上記構成では、元上２、元上々３を元竿１の竿元側端部に装着した保持部材６によって収縮状態を現出する構成を採ったが、伸縮式振出竿の形態としては、元上々３の竿元側端部を元上２の竿元側端部に嵌合させて収縮状態を現出する構成を採ってもよい。
【００３０】
（３）  上記実施形態においては、元上２、元上々３を小径竿体と称する。元上２が小径竿体であれば、元竿１を大径竿体と称する。元上々３が小径竿体であれば、元上２、元竿１を大径竿体と称する。
【００３１】
（４）  上記実施形態においては、渓流竿で説明したが、本発明を鮎竿や磯竿等に適用してもよい。
【図面の簡単な説明】
【００３２】
【図１】（イ）元上、元々上を元竿内に収縮した状態を示す縦断側面図、（ロ）元上を元竿より引き出した状態を示す縦断側面図
【図２】元上等の小径竿体の竿先側端部の外周面に滑り抵抗体を形成した状態を示し、（イ）は軸線方向に長い凸部を示す側面図、（ロ）は周方向に長い凸部を示す側面図、（ハ）はくの字状に折れ曲りを生じた凸部を示す側面図、（二）は円柱状の凸部を示す側面図、（ホ）は梨地面を示す側面図、（ヘ）はローレット加工面を示す側面図
【図３】元上等の複数の小径竿体の竿先側端部の外周面に、夫々、異なる滑り抵抗体を形成した状態を示す側面図
【符号の説明】
【００３３】
１            元竿（大径竿体）
２            元上（小径竿体、大径竿体）
３            元上々（小径竿体）
７            滑り抵抗体
【図１】
2009060844.tif 000003
【図２】
2009060844.tif 000004
【図３】
2009060844.tif 000005